(57)【特許請求の範囲】
【請求項１】
リール本体の前部に回転自在に装着され、前記リール本体に前後移動自在に装着されたスプールに釣り糸を巻き付けるためのスピニングリールのロータであって、
前記リール本体の前部に回転自在に装着され後端部にリング状の鍔部を有し前記スプールの内周側に配置され得る円筒部と、前記鍔部から前記円筒部と間隔を隔てて前方に延びる第１及び第２ロータアームと、前記第１ロータアームから前記第２ロータアームにわたって前記鍔部から前後いずれかに突出して設けられた回転バランス補正用の重り部とを有するロータ本体と、
前記両ロータアームの先端に糸巻取姿勢と糸開放姿勢とに揺動自在に装着され、釣り糸を前記スプールに案内するベールアームと、
を備えたスピニングリールのロータ。
【請求項２】
前記重り部は、前記鍔部の前面に設けられている、請求項１に記載のスピニングリールのロータ。
【請求項３】
前記重り部は、前記鍔部と一体形成されている、請求項１又は２に記載のスピニングリールのロータ。
【請求項４】
前記重り部は、前記鍔部に別体で装着されている、請求項１又は２に記載のスピニングリールのロータ。
【請求項５】
前記第１ロータアームに設けられ、前記糸開放姿勢にあるベールアームを前記ロータの糸巻取方向の回転に連動して前記糸巻取姿勢に戻すベール反転機構をさらに備える、請求項１から４のいずれかに記載のスピニングリールのロータ。
【請求項６】
前記両ロータアームの外側面及び前記鍔部の後面をカバーするロータカバーをさらに備える、請求項１から５のいずれかに記載のスピニングリールのロータ。
【発明の詳細な説明】
【０００１】
【発明の属する技術分野】
本発明は、ロータ、特に、リール本体の前部に回転自在に装着され、リール本体に前後移動自在に装着されたスプールに釣り糸を巻き付けるためのロータに関する。
【０００２】
【従来の技術】
一般に、スピニングリールのロータは、リール本体に回転自在に装着された円筒部及び円筒部の後部に対向して一体で形成された第１及び第２ロータアームを有するロータ本体と、ロータアームの先端に糸開放姿勢と糸巻取姿勢とに揺動自在に装着された釣り糸案内用のベールアームとを備えている。円筒部の後部には、リング状の鍔部が形成されており、鍔部から両ロータアームが前方に延びている。第１ロータアームの内部には、糸開放姿勢に揺動したベールアームを糸巻取姿勢に戻すためのベール反転機構が設けられている。
【０００３】
ベールアームは、第１ロータアームに揺動自在に設けられた第１ベール支持部材と、第２ロータアームの先端に揺動自在に設けられた第２ベール支持部材と、両ベール支持部材を連結するベールとを有している。第１ベール支持部材の先端には、釣り糸を案内するためのラインローラと、ラインローラを支持するための固定軸カバーとが装着されており、ベールの一端は固定軸カバーに、他端は第２ベール支持部材にそれぞれ固定されている。
【０００４】
このような構成のロータでは、第１ロータアームにベール反転機構が設けられているため、第１ロータアーム側が第２ロータアーム側より重くなる。また、第１ベール支持部材にはラインローラなどが装着されているため、ベールアームの重心が第１ロータアーム側に片寄り、さらに第１ロータアーム側が重くなる。このため、ロータの回転バランスを考慮して第２ロータアームや円筒部に回転バランス補正用の重りを装着することがある。円筒部に重りを装着する場合、従来は、たとえば鉛製の重りを円筒部の鍔部に径方向外方に突出して設けたり、鍔部のロータアームの付け根に設けたりしている。
【０００５】
【発明が解決しようとする課題】
前記従来の重りを設けたロータでは、鍔部の外周に突出して重りを設けると、重りに釣り糸が引っ掛かり、糸絡みを生じるおそれがある。また、ロータアームの付け根に重りを設けると、重りを装着する分だけロータアームの付け根が薄くなり、最も力が作用するロータアームの付け根部分の比強度が低下するおそれがある。
【０００６】
本発明の課題は、スピニングリールのロータにおいて、釣り糸が引っ掛かりにくくかつ比強度を維持して回転バランスを補正できるようにすることにある。
【０００７】
【課題を解決するための手段】
発明１に係るスピニングリールのロータは、リール本体の前部に回転自在に装着され、リール本体に前後移動自在に装着されたスプールに釣り糸を巻き付けるためのものであって、ロータ本体と、ベールアームとを備えている、ロータ本体は、リール本体の前部に回転自在に装着され後端部にリング状の鍔部を有しスプールの内周側に配置され得る円筒部と、鍔部から円筒部と間隔を隔てて前方に延びる第１及び第２ロータアームと、第１ロータアームから第２ロータアームにわたって鍔部から前後いずれかに突出して設けられた回転バランス補正用の重り部とを有している。ベールアームは、両ロータアームの先端に糸巻取姿勢と糸開放姿勢とに揺動自在に装着され、釣り糸をスプールに案内するものである。
【０００８】
このスピニングリールのロータでは、ロータが回転すると、ベールアームに案内された釣り糸がスプールに巻き付けられる。この回転時に回転バランス補正用の重り部により回転バランスが補正された状態でスムーズに回転する。この重り部は、第１ロータアームから第２ロータアームにわたって鍔部から突出して設けられており、径方向外方には突出していないので、釣り糸が引っ掛かりにくくなり糸絡みも生じにくくなる。また、ロータアームの付け根以外に重り部を設けることができるので、ロータアームの比強度を高く維持することができる。さらに、両ロータアームにわたって重り部が形成されているので、バランサとして機能する突出した重り部に釣り糸が絡むのをより防止できる。
【０００９】
発明２に係るスピニングリールのロータは、発明１に記載のロータにおいて、重り部は、鍔部の前面に設けられている。この場合には、重り部が鍔部の前面に突出して設けられているので、リール本体との干渉を防止でき、コンパクトなロータを実現できる。
【００１０】
発明３に係るスピニングリールのロータは、発明１又は２に記載のロータにおいて、重り部は、鍔部と一体形成されている。この場合には、鍔部と重り部とが一体形成されているので、重り部を装着する手間を省ける。
【００１１】
発明４に係るスピニングリールのロータは、発明１又は２に記載のロータにおいて、重り部は、鍔部に別体で装着されている。この場合には、重り部の別体であるので、ロータ本体より比重が大きいものを採用すればコンパクトな重り部を実現できる。
【００１２】
発明５に係るスピニングリールのロータは、発明１から４のいずれかに記載のロータにおいて、第１ロータアームに設けられ、糸開放姿勢にあるベールアームをロータの糸巻取方向の回転に連動して糸巻取姿勢に戻すベール反転機構をさらに備える。この場合には、ベール反転機構によりさらに回転バランスが乱れても重り部により回転バランスを補正しやすい。
【００１３】
発明６に係るスピニングリールのロータは、発明１から５のいずれかに記載のロータにおいて、両ロータアームの外側面及び鍔部の後面をカバーするロータカバーをさらに備える。この場合には、ロータカバーを設けロータ本体との隙間が小さくなっても重り部を設けることができる。
【００１４】
【発明の実施の形態】
図１において、本発明の一実施形態が採用されたスピニングリールは、ロータを制動するレバーブレーキ式のスピニングリールであり、ハンドル１を有し釣竿に装着されるリール本体２と、リール本体２の前方に配置されたロータ３と、ロータ３の前方に配置されたスプール４とを備えている。ロータ３は、リール本体２に回転自在に装着されている。スプール４は、リール本体２に前後移動自在に装着されている。
【００１５】
リール本体２は、たとえはアルミニウム合金製であり、リールボディ２ａと、リールボディ２ａの図１上方に延びる概ねＴ状の竿装着部２ｂとを有している。リールボディ２ａの内部には、図２に示すように、ハンドル１の回転をロータ３に伝達するための回転伝達機構５と、ハンドル１のロータ３の回転に同期してスプール４を前後移動させるためのオシレーティング機構６と、ロータ３の糸繰り出し方向の回転を制動するロータ制動機構７とが設けられている。リールボディ２ａの後端下部は、オシレーティング機構６を収納するために後方に突出する突出部となっている。この突出部には、傷つきを防止するためにプレス成形された、たとえばステンレス合金製等の硬質金属製のカバープレート１０が装着されている。カバープレート１０とリールボディ２ａとの間にはリール本体２殿間の隙間を埋めるために合成樹脂製の絶縁部材（図示せず）が介装されている。
【００１６】
ロータ３は、図２及び図３に示すように、リール本体２に回転自在に装着されたロータ本体１５と、ロータ本体の先端に糸開放姿勢と糸巻取姿勢とに揺動自在に装着されたベールアーム１６と、ロータ本体１５の後部外側面に着脱自在に装着されたロータカバー１７とを有している。
【００１７】
ロータ本体１５は、たとえばマグネシウム合金製又はアルミニウム合金製のものであり、図３に示すように、円筒部２０と、円筒部２０と一体形成された１対の第１ロータアーム２１及び第２ロータアーム２２とを有している。円筒部２０は、リール本体２に回転自在に装着され、後端部に他の部分より大径のリング状の鍔部２０ａを有している。鍔部２０ａの糸巻取姿勢にあるベールアーム１６が配置される側には、前方に突出する重り部２０ｂが鍔部２０ａと一体で形成されている。重り部２０ｂは、ベールアーム１６や後述するベール反転機構等に起因する回転バランスを補正するために設けられている。重り部２０ｂは、図４にハッチングで示すように、第１ロータアーム２１及び第２ロータアーム２２の付け根（後述する接続部２１ａ，２２ａ）を除く部分に周方向に向けて形成されている。このように配置された重り部２０ｂは、径方向外方には突出していないので、釣り糸が引っ掛かりにくくなり糸絡みも生じにくくなる。また、ロータアーム２１，２２の接続部２１ａ，２２ａ（付け根）ではない場所に設けたので、接続部２１ａ，２２ａの肉厚を薄くする必要がなくなり、第１ロータアーム及び第２ロータアーム２１，２２の比強度を高く維持することができる。また、前方に突出して設けているので、リール本体２との干渉を防止でき、コンパクトなロータ３を実現できる。
【００１８】
第１ロータアーム２１及び第２ロータアーム２２は鍔部２０ａの外周面の対向する位置に一体形成されている。第１ロータアーム２１及び第２ロータアーム２２は、鍔部２０ａの外周面の対向する位置で鍔部２０ａから径方向外方に延びる１対の第１接続部２１ａ及び第２接続部２２ａと、１対の第１接続部２１ａ及び第２接続部２２ａから屈曲し円筒部２０と間隔を隔ててそれぞれ前方に延びる１対の第１アーム部２１ｂ及び第２アーム部２２ｂとを含んでいる。第１接続部２１ａ及び第２接続部２２ａは、鍔部２０ａの外周面から先細りに径方向外方に突出した後、湾曲して第１アーム部２１ｂ及び第２アーム部２２ｂに連続している。これらの第１接続部２１ａ及び第２接続部２２ａと第１アーム部２１ｂ及び第２アーム部２２ｂとの外側面には外側に突出する縁取りがなされており、縁取り部分で囲まれた外側部分に空間が形成されている。そして、第１ロータアーム２１側の外側空間には、ベールアーム１６を糸巻取姿勢と糸開放姿勢とに保持するとともに、糸開放姿勢から糸巻取姿勢に復帰させるベール反転機構３０（図３参照）が設けられている。
【００１９】
ベールアーム１６は釣り糸をスプール４に案内するためのものである。ベールアーム１６は、図１〜図３に示すように、１対の第１ロータアーム２１及び第２ロータアーム２２の先端にそれぞれ揺動自在に装着された第１ベール支持部材２５及び第２ベール支持部材２６と、第１ベール支持部材２５の先端に回転自在に装着されたラインローラ２７と、第１ベール支持部材２５とラインローラ２７を挟んで対向して配置された固定軸カバー２８と、第２ベール支持部材２６と固定軸カバー２８とを連結する線材製の湾曲したベール２９とを有している。
【００２０】
ロータカバー１７は、１対の第１ロータアーム２１及び第２ロータアーム２２の外側空間を覆うように後方（図２右側）からロータ本体１５に装着可能なカバーである。ロータカバー１７は、端部をロータ本体１５の端端部に突き合わせた状態でロータ本体１５に装着されている。ロータカバー１７は、たとえば、ＰＶＣ等の弾性を有する合成樹脂製の部材であり、傷つきにくくなっている。ロータカバー１７は、ロータ３の他のものに接触しやすい部分を覆ってロータ３を保護して傷つきにくくするとともに、ロータ本体１５の外側空間を覆うために設けられている。ロータカバー１７は、図２及び図３に示すように、鍔部２０ａの外周面及びその後面及び１対の第１接続部２１ａ及び第２接続部２２ａの外側面をカバーする第１カバー部１７ａと、第１カバー部１７ａの両端に滑らかに接続され前方に延びて１対の第１アーム部２１ｂ及び第２アーム部２２ｂの外側面をそれぞれカバーする１対の第２カバー部１７ｂ、１７ｃとの３つの部分に分割されている。第１カバー部１７ａの中心には、円筒部２０の後端面に嵌め込まれる円形の開口１７ｄが形成されている。第１カバー部１７ａは、鍔部２０ａの後面にはめ込み固定されている。第２カバー部１７ｂ，１７ｃは、第１アーム部２１ｂ及び第２アーム部にそれぞれ形成されたボス部３１ａ（第１アーム部２１ｂ側のみ図示）が形成されており、ボス部３１ａに挿入された小ねじ３２ａ、３２ｂによりロータ本体１５に締結されている。
【００２１】
ベール反転機構３０は、図３に示すように、第１ベール支持部材２５の揺動に連動して前後に移動する移動部材５０と、第１ベール支持部材２５を介してベールアームを糸巻取姿勢と糸開放姿勢とに付勢するトグルばね機構５１と、リール本体２の前部に固定された戻し部（図示せず）とを有している。ベール反転機構３０は、ベールアーム１６が糸開放姿勢に揺動すると、移動部材５０が後方に移動し、戻し部に接触する位置に移動する。これにより、ロータ３が糸巻取方向に回転すると戻し部に移動部材５０が接触して前方に移動し、ベールアーム１６を糸巻取姿勢に戻す。
【００２２】
スプール４は、外周に釣り糸が巻き付けられる鍔付き円筒状の部材である。スプール４は、ロータ３の回転に同期して前後移動し、ベールアーム１６により案内された釣り糸を外周面に略均一に巻き取る。スプール４は、リール本体２に前後移動自在に装着されたスプール軸１５に回転不能かつ着脱自在に装着されている。スプール４は、スプール軸１５に装着される糸巻胴部４ａと、糸巻胴部４ａと一体形成されたスカート部４ｂと、糸巻胴部４ａの前方に設けられたフランジ部４ｃとを有している。ロータ３の円筒部２０は、スカート部４ｂの内方に位置している。
【００２３】
ロータ制動機構７は、図２に示すように、ロータ３の糸巻取方向の回転に連動して回転する制動円筒６０と、制動円筒６０に接触してロータ３の制動操作を行うための制動レバー６１と、制動円筒６０を所定制動状態で制動するとともに制動解除するための補助レバー６２とを有している。ロータ制動機構７は、制動レバー６１を釣り竿接近する方向に操作すると制動力が徐々に強くなる。また、補助レバー６２を釣り竿から離反する方向に操作すると、補助レバー６２はその位置で保持され、所定制動状態でロータ３を制動し続ける。
【００２４】
このように構成されたスピニングリールでは、ロータカバー１７が第１接続部２１ａ及び第２接続部２２ａの屈曲部分だけでなく、円筒部２０の鍔部２０ａの外側面もカバーしているので、リールを硬いものの上に置いても、ロータ３の外側露出部分がカバーされて傷つきにくくなる。
【００２５】
また、ロータ３の鍔部２０ａに前方に突出した回転バランス補正用の重り部２０ｂを一体形成したので、重り部２０ｂを装着する手間を省くことができるとともに、釣り糸が引っ掛かりにくくなり糸絡みも生じにくくなる。また、ロータアーム２１，２２の付け根以外に重り部２０ｂを設けているので、ロータアーム２１，２２の比強度を高く維持することができる。特に後面側にロータ３の傷付きを防止するためにロータカバー１７を設けた場合、後面側に重り部を設ける空間を確保しにくくなる。このような場合でも、鍔部２０ａの前方に重り部２０ｂを設けることにより回転バランスの補正を行える。
【００２６】
〔他の実施形態〕
（ａ）前記実施形態では、ロータを制動するレバーブレーキ式のスピニングリールを例に説明したが、フロントドラグ式やリアドラグ式のスプールを制動するスピニングリールにも本発明を適用できる。
【００２７】
（ｂ）前記実施形態では、重り部２０ｂを鍔部に一体形成したが、図５に示すように重り部１２０ｂを鍔部２０ａと別体で形成してもよい。
【００２８】
（ｃ）前記実施形態では、ロータカバー１７を有するロータ３を例に説明したが、ロータカバー１７、特にロータ背面側のロータカバーを有さないロータにも本発明を適用できる。
【００２９】
（ｄ）前記実施形態では、重り部２０ｂを第１ロータアーム２１と第２ロータアーム２２との付け根を除く部分でベールアーム１６が配置される側に設けたが、図６にハッチングで示すように、第１ロータアーム２１の付け根（接続部２１ａ）と第２ロータアーム２２の付け根（接続部２２ａ）とを含んで第１ロータアーム２１から第２ロータアーム２２にわたって重り部２２０ｂを形成してもよい。この場合には、バランサそのもの又はバランサとして機能する突出した重り部２２０ｂに釣り糸が絡むのをより防止できる。
【００３０】
【発明の効果】
本発明によれば、重り部が鍔部に前後のいずれかに突出して設けられており、径方向外方には突出していないので、釣り糸が引っ掛かりにくくなり糸絡みも生じにくくなる。また、ロータアームの付け根以外に重り部を設けることができるので、ロータアームの比強度を高く維持することができる。
【図面の簡単な説明】
【図１】本発明の一実施形態を採用したスピニングリールの側面図。
【図２】その側面断面図。
【図３】ロータの分解斜視図。
【図４】ロータ本体の正面図。
【図５】他の実施形態の図３に相当する図。
【図６】他の実施形態の図４に相当する図。
【符号の説明】
２  リール本体
３  ロータ
４  スプール
１５  ロータ本体
１６  ベールアーム
１７  ロータカバー
２０  円筒部
２０ａ  鍔部
２０ｂ，１２０ｂ，２２０ｂ  重り部
２１，２２  第１及び第２ロータアーム
３０  ベール反転機構
【図１】
0003593516.tif 000002
【図２】
0003593516.tif 000003
【図３】
0003593516.tif 000004
【図４】
0003593516.tif 000005
【図５】
0003593516.tif 000006
【図６】
0003593516.tif 000007